(57)【要約】【課題】    自然界に存在する低放射線を放出する岩石などを粉末加工し、通気性のよい不繊布等に練り込ませた特殊フイルタ−を、従来のマスク内に固着させる事によって従来のマスクの有する機能に加え、放射線岩石が放射する放射線及び放射ガスによる効能効果、即ち、低放射線ホルミシス効果によって、従来のマスクが機能できなかった効果、即ち、身体に侵入しようとする病原菌をマスク内に於いて死滅防御又は、弱体化する効果と、低放射線ホルミシス効果による免疫力の驚異的な向上による健康回復に寄与する事を目的とした低放射線ホルミシスマスク【解決手段】  従来使用されているマスクに不繊布等に練り込み加工された低放射線ホルミシス効能入りの不繊布抗菌免疫フイルタ−を従来のマスク内に固着、挟み込んだ構造【選択図】図４
2014110820.tif 000002
【特許請求の範囲】
【請求項１】
低放射線を放出する物質から加工された特殊フイルタ−をマスク内部に間隔を置いて固着させ、かつ、０．１ミクロン以上の粒子を遮断するフイルターの両面を０．１ミクロンの粒子を遮断する不繊布にて被覆している事を特徴とする低放射線マスク
【請求項２】
低放射線を放出する物資から発する放射線及び、放射ガスにより、病原菌を防御、又は弱体化させる効果が期待出来る事を利用した特殊構造を持つマスク
【請求項３】
低放射線を放出する岩石等を加工し、特殊フイルタ−等に付着又は練り込ませたフイルタ−又は物質を特殊構造を持つマスク内に固着させることにより、そのマスクから放出する放射性ガスを吸引する事で低放射線ホルミシス効果による健康維持、又は健康を改善する働きのあるマスク
【発明の詳細な説明】
既に一般化している健康保持マスクは新型ウイルスのような病原菌を１００％カットする構造、機能はなく、鳥インフルエンザのような新型ウイルスが流行の兆しが有った場合、その防御に役立つかは疑問であった。
しかし、低放射線照射によるウイルス死亡効果と低放射線放出物質から発生する放射性ガスが身体を健康にするホルミシス効果が有ることが判明し、この医学における治療結果として、糖尿病やガン治療、予防に大きく貢献していることは周知の事実である。当マスクは、人間の体内に侵入し病気を引き起こす病原菌をマスク内において防御又は、弱体化する機能と、マスク内の特殊フイルタ−に付着させた低放射線放出物質から発生する低放射線ガスにより人間を健康にさせる両面の機能を持った低放射線ホルミシスマスク
【技術分野】
【０００１】  本発明は、従来実用化されているガ−ゼ等の布を主体にした商品ではなく、通気性の良い不繊布と、微粒子（０．１ミクロン）を通過させない布繊布（ポリプロピレン・スパポンド等）の様な素材によって構成されている構造と、微粒放射放出する自然界に存在する低放射線発生岩石を粉末化、液体化にして、不繊布に浸透させた特殊フィルタ−をマスク内に固着する事によって、病原菌が侵入した場合に放射線によってマスク内に於いて病原菌を殺菌、もしくは弱体化させる構造を持っている事、及び、微粒放射線放出物質から放出されるガスが、ホルミシス効果によって身体の免疫力を飛躍的に増加させ、結果として身体を健康にさせる効果を持った構造の低放射線ホルミシスマスク
【背景技術】
【０００２】  従来の健康保持用マスクは外部からの菌類を遮断する力が弱く、又、殺菌効果が少なく、新型ウイルス等の微粒子の菌を死滅殺菌する対応に欠けていた。この事は、鳥インフルエンザ等が人間に感染間違いないと言われている現状下で、菌を防御死滅させるための本格的対応が必要になってきている。この現状下での対応として、呼吸による吸い込み時の防御が良いが、マスクに強烈な臭気の発生する消毒液を塗布したり、しみ込ませたりしては使用上、身体に問題が発生する。使用して効果を発揮するには１０，０００分の１（０．１ミクロン）の微粒子を通過させない通気性の良い物でなければならない。又、侵入した菌を即座に死滅又は防御させ、臭気を発しない継続使用できる素材と健康を害さない素材が必要である。
そのためには、通気性がよく０．１ミクロンの菌を通過させない素材のポリプロピレン・スパンボンド等の不繊布等の不繊布等を利用し、殺菌死滅または防御させる素材として健康維持にも効果のある微量放射線と放射線ガスを発する自然界から採集した天然の岩石を粉砕し不繊布に浸透させた特殊フイルタ−をマスク内に固着し、そのフイルタ−から発する放射線と、放射ガスで菌を防御又は、弱体化させる構造にした。
又、この放射性物質から放出するガス及び線量を吸収すると、ホルミシス効果でガン抑制作用等健康維持に効果がある事も医学界で発表されている事
【発明が解決しようとしている課題】
【０００３】    従来使用されている病原菌の口喉からの病原菌等の侵入を防止する役割のマスクを、今後発生するであろう鳥インフルエンザ等の大流行時に備え、その役割を完璧な物にする事の期待と、普段の健康時に於いて着用してもより以上に低放射線ホルミシス効果による身体の免疫力向上による健康維持と回復に役立つ事への期待
本考察は、上記のような諸問題を解決するために発明された商品
【課題を解決するための手段】
【０００４】  上記目的を達成する為に、本発明は以下のような技術的手段を講じる。
従来既に製品化されている健康保持用マスクに自然界に存在する放射線発生岩石を微粉末にし、さらに液体化した物質を通気性の良い不繊布に練り込み低放射線ホルミシス効果と身体に侵入しようとする病原菌をマスク内に於いて死滅又は防御させる構造を持つ特殊フイルタ−内蔵のマスク
【発明の効果】
【０００５】  本マスクを使用する事によって、従来の病原菌の侵入の防止と、他者への最低の感染防止のマスクの機能に加え、新たに放射線ホルミシス効果が期待でき、驚異的に病原菌の体内への侵入防止よび、健康回復を期待できる事
【発明を実施するための最良の形態】
【０００６】  体調不良を早期に察知し、または周囲の状況を常に監視し常に使用出来るように保持する事が最良である。又、健康時においても、低放射線ホルミスシ効果を期待し、常備使用する事も可能である事
【実施例】
【０００７】  従来のマスク同様に体調不良及び、周囲の状況に応じて随時使用できる用に保持し、使用するときは口喉を保護するように覆う事
【図面の簡単な説明】
【０００８】
【図１】  本発明に係わる従来のマスクの斜視図
【図２】  本発明に係わる低放射線発生岩石から粉末にされ、又は液体に加工された低放射線岩石
【図３】  通気性のよい平面不繊布に塗り、染めこまれた低放射線発生の特殊フイルタ−
【図４】  本発明に係わる双方混合の斜視図
【符号の説明】
【０００９】  １    ・・    従来のマスク
２    ・・    耳止め用ゴム紐等
３    ・・    低放射線発生岩石
４    ・・    低放射線発生岩石を粉末化した物
５    ・・    低放射線発生岩石の粉末化物体を液体化にした物
６    ・・    通気性のよい不繊布に低放射線ホルミシス液体をしみ混ませた不繊布の平面布
７    ・・    同上の平面布に通気穴を開けたもの
８    ・・    同上の平面布に格子上の通気穴を開けたもの
９    ・・    従来のサンプルマスクの１層目構造
１０    ・・    同上の２層目
１１    ・・    同上の３層目
１２    ・・    同上の４層目
１３    ・・    従来マスクに低放射線ホルミシス含有フイルタ−を差し挟んだ構造
【図１】
2014110820.tif 000003
【図２】
2014110820.tif 000004
【図３】
2014110820.tif 000005
【図４】
2014110820.tif 000006